(57)【特許請求の範囲】
【請求項１】
Ｕ字連結部を有するイヤリングを耳たぶに装着するための道具であって、
前端縁が開閉可能に支点軸にて互いに結合された一対のレバーを備え、これらのレバーが前端縁またはその近傍に耳たぶを導入可能な導入部を有し、前端縁もしくはそれと支点軸との間であって導入部と異なる位置に一対の突起を有し、突起が前記連結部に挿入可能であって、前端縁が開いた状態にあるとき突起の外面間隔が導入部の内面間隔よりも小さいことを特徴とするピアス状イヤリング装着具。
【請求項２】
前記突起がストレート部とそのストレート部の前記導入部から遠い側に連なるテーパー部とを有し、ストレート部の外側の面は前記レバーの外側の主面と面一に設けられ、テーパー部の外側の面はストレート部から遠ざかるにつれて内側に向かっている、請求項１に記載の装着具。
【請求項３】
前記前端縁が前記導入部を兼ねており、前記突起が前端縁と支点軸との間の互いに対向する位置で支点軸と平行に延びている、請求項１又は２に記載の装着具。
【請求項４】
前記突起が前記前端縁に設けられ、前記導入部が前端縁付近において前記突起と直交する方向に突出しているとともに、前端縁から遠ざかるに伴って導入部の間隔が拡がっている、請求項１又は２に記載の装着具。
【請求項５】
前記突起が、突出方向と直交する断面において、前記テーパー部の外側の面が傾斜している以外は対向し合う面が平行な五角形をなす、請求項２〜４のいずれかに記載の装着具。
【請求項６】
前記一対のレバーが各々前部と後部とを有し、後端縁が閉じる又は開くときに前端縁が開く又は閉じるように前部と後部との間で前記支点軸を介して結合されている、請求項１〜５のいずれかに記載の装着具。
【請求項７】
前記各レバーが軸受け部を支点軸方向の両端縁に有し、それらの軸受け部のうち前記突起を有する側の端縁に位置する軸受け部は、前記突起の開始点よりも支点軸方向に突出していない、請求項６に記載の装着具。
【請求項８】
更に、前記レバーの端縁のうち前記軸受け部に隣接する部分が、前記突起の開始点よりも支点軸方向に凹んでいる、請求項７に記載の装着具。
【請求項９】
前記一対のレバーがＶ字状をなし、Ｖ字の上端を前記前端縁、下端を前記支点軸とし、前端縁がＶ字の弾性変形によって開閉するとともに、Ｖ字の開き程度を制限するストッパーを備える、請求項１〜５のいずれかに記載の装着具。
【請求項１０】
前記ストッパーが、前記一対のレバーの対向し合う内面に跨がって取り付けられた鎖又は紐である、請求項９に記載の装着具。
【請求項１１】
前記一対のレバーがＶ字状部と、Ｖ字の上端から各々延びて互いに交差し続いてＶ字の下端から遠ざかる方向に延びるＬ字対部とを有し、Ｌ字対部の先端を前記前端縁、Ｖ字の下端を前記支点軸とし、前端縁がＶ字の弾性変形によって開閉する、請求項１〜５のいずれかに記載の装着具。
【発明の詳細な説明】
【技術分野】
【０００１】
この発明は、ピアスのようなイヤリングを装着する道具に関する。尚、この出願において、単にイヤリングというときは、特に指定しない限りピアスでないイヤリングを意味する。
【背景技術】
【０００２】
耳に取り付ける飾りとしてピアスとイヤリングとがある。ピアスは耳たぶに孔を開けなければならず、穴開けを恐れる人には嫌われている。他方、一般的なイヤリングは板バネとネジ部分等からなっており、耳たぶの厚さに応じてネジ部を回してバネ圧調整を行うところ、板バネの弾性力で耳たぶを押さえ続けるので、時間経過とともに痛みを生じる。痛みの発生を避けようとネジを緩めると、イヤリングは簡単に耳から脱落してしまう。また、留め具が大きくピアスに比べてファッション性に劣る。【０００３】
そこで、留め具が小さくて脱落しにくくピアスのように見えるスマートなイヤリングが好まれている。例えば、両端に装飾体を取り付けてＵ字状に形成した弾性線材の凹部に、弾性線材を巻回して小ループを形成したイヤリング（特許文献１）、錆び防止のために純チタンを用いてＵ字状に形成したイヤリング（特許文献２）、一対の半円形のリング片の一端同士をワッシャを介してヒンジ結合し、結合部をかしめることによりリング片の他端同士間で挟む力を生じさせるイヤリング（特許文献３）などが提案されている。また、内部にコイルバネを組み込んで円形に曲げられたパイプと、コイルバネの先に取り付けられてパイプの一端より突き出たピンとを備え、コイルバネの復元力によりピンの先端とパイプの他端とで耳たぶを挟むようにしたイヤリング（非特許文献１）が販売されている。
そして、本件出願人も以上の従来のイヤリングに優るピアス状イヤリングを提案するとともに、同イヤリングを装着する道具を提案した（特許文献４）。
【先行技術文献】
【特許文献】
【０００４】
【特許文献１】実開平６−８１３１７号公報
【特許文献２】実用新案登録第３１２６５９８号公報
【特許文献３】特開２０１１−７８４６０号公報
【特許文献４】ＷＯ２０１５／０１６０１２号公報
【非特許文献】
【０００５】
【非特許文献１】［ｏｎｌｉｎｅ］、nanapi、［平成２５年７月８日検索］、インターネット  <URL:http://nanapi.jp/100438/>
【発明の概要】
【発明が解決しようとする課題】
【０００６】
この発明の課題は、ピアスのように見えて、それ自体の弾性復元力によって耳たぶに固定可能で且つ痛みを生じさせないイヤリングを破損させること無く容易に装着するために、特許文献４で開示したものを更に改良した道具を提供することにある。
【課題を解決するための手段】
【０００７】
この発明の装着具が対象とするイヤリングは通常、
弾性線材からなり、両端間に所定の隔たりを保つようにＵ字状に曲げられた連結部と、
前記素材と同一又は異なる素材からなり、前記連結部よりも幅広で、主面が対向し合うように連結部の両端に各々設けられた一対の耳当て部と
を備える。【０００８】
前記イヤリングによれば、着用中は連結部の弾性力によって耳当て部が耳たぶを挟み持ち且つ連結部が線材からなるので、ピアスのように見える。また、連結部の両端間が隔たりを保っているので、両耳当て部間も隔たりが保たれ、耳たぶに過剰の圧力がかからない。しかも、耳当て部は、前記連結部よりも幅広であるので、連結部から耳たぶにかかる圧力が分散される。このため、長時間着用していても痛みを覚えることがない。耳当て部の素材は、連結部のそれと異なっていても良いし、同一であっても良い。異なるときは、接着剤を介しての接着または溶接により連結部に固定されてよい。同一であるときは、連結部と一体的に設けられる。【０００９】
前記イヤリングを装着するこの発明の装着具は、
前端縁が開閉可能に支点軸にて互いに結合された一対のレバーを備える。そして、これらのレバーが前端縁またはその近傍に耳たぶを導入可能な導入部を有し、前端縁もしくはそれと支点軸との間であって導入部と異なる位置に一対の突起を有し、突起がイヤリングのＵ字連結部に挿入可能であって、前端縁が開いた状態にあるとき突起の外面間隔が導入部の内面間隔よりも小さいことを特徴とする。【００１０】
レバーの前端縁は、レバー自体の弾性復元力によって開くようにしてもよいし、外力で開くようにしてもよい。導入部及び突起は、前端縁の開閉に伴って開閉する。支点軸は、レバーの一部であってもよいし、レバーと別の実体であってもよい。レバーは、金属製、木製、プラスチック製のいずれであってもよいが、少なくとも突起とその周辺部分は必要な強度を確保するために金属製が好ましい。【００１１】
この装着具を使用するときは、前端縁を閉じ状態又は半開き状態にしてイヤリングのＵ字連結部に前記突起を挿入し、外力を付与して前端縁を全開にする。すると、前端縁とともに前記突起及び導入部が全開となり、突起外面が連結部の弾性復元力に抗して連結部両端付近に押され、イヤリングが突起を介して保持される。そして、導入部を経由して同イヤリングの耳当て部の間に耳たぶを挿入する。導入部の内面間隔が突起の外面間隔よりも大きいことから、耳たぶを挿入しやすい。その状態で、前記外力を弱めて装着具を引き抜くことにより、連結部の弾性復元力でイヤリングが耳たぶに固定される。装着具を介して片手でイヤリングを保持することができるので、空いた手で耳たぶを固定し、イヤリングの耳当て部との位置関係を触覚で確認しつつ必要に応じて耳たぶを引っ張って薄くするなどして、容易にイヤリングを装着することができる。レバーにおける突起の位置よりも後方の部分は、前方の部分よりも肉厚であったり、幅広であったりしてよい。この構成により装着具が持ちやすくなるからである。【００１２】
前記前端縁が前記導入部を兼ねており、前記突起が前端縁と支点軸との間の互いに対向する位置で支点軸と平行に延びていると好ましい。イヤリングを保持する突起がレバーの前端縁と支点軸との間に位置しているので、前端縁（導入部）が全開の状態でも対向する突起同士の間隔は更に小さい。このため、大きく開いた前端縁（導入部）を経由して耳たぶを容易に耳当て部の間に案内することができる割に、連結部の弾性範囲を超えて耳当て部の間隔が過剰に広がるのを防ぐこともできる。従って、連結部の塑性変形を心配することなく安心して梃の作用で耳当て部の間隔を容易に拡げることができる。【００１３】
前記突起は好ましくは、ストレート部とそのストレート部の前記導入部から遠い側に連なるテーパー部とを有し、ストレート部の外側の面は前記レバーの外側の主面と面一に設けられ、テーパー部の外側の面はストレート部から遠ざかるにつれて内側に向かっている。この構成によれば、ストレート部とテーパー部とで広い幅が確保されるので、高齢者などの視力の弱い使用者でも突起を容易に認識することができるし、突起に必要な強度を十分確保することもできる。また、装着具でイヤリングを保持している状態では突起が全開しているものの、テーパー部が連結部に倣うか又は連結部との間に逃げを形成するので、突起の幅が広い割に耳当て部の間隔が過剰に広がることもない。【００１４】
前記突起が、突出方向と直交する断面において、五角形をなすときは、尖鋭な部分が無くて安全且つ強度も高いので、特に好ましい。【００１５】
この装着具の一つの好ましい全体構成Ａは、前記一対のレバーが各々前部と後部とを有し、後端縁が閉じる又は開くときに前端縁が開く又は閉じるように前部と後部との間で前記支点軸を介して結合されているものである。この構成Ａによれば、閉じられた後部を持ちながらイヤリングを装着することができる。また、レバーの旋回角度は、第一のレバーの後端縁と第二のレバーの後端縁とが互いに当たることにより、制限されている。従って、突起外面の最大間隔は常に一定である。この構成において、前記一対のレバーの後端縁が開く方向に付勢するバネを有すれば、外力を付与しなくても、このバネの力により前端縁が閉じられていることから、イヤリングに突起を挿入しやすく、且つ耳たぶから装着具を引き抜きやすくてよい。【００１６】
しかも構成Ａによれば支点軸がストッパーとなってイヤリングの差し込みすぎを防ぐことができる。この構成においては、前端縁と突起の前面との距離、及び突起の前面と支点軸との距離は、通常いずれも８〜１２ｍｍである。前者が８ｍｍ未満だと前端縁の案内機能を果たしにくいし、１２ｍｍを超えると前端縁が耳の軟骨に当たる可能性がある。後者が８ｍｍ未満だと耳たぶが耳当て部間に十分に入らなくなるし、１２ｍｍを超えると入りすぎる可能性がある。【００１７】
前記構成Ａの各レバーは通常、軸受け部を支点軸方向の両端縁に有する。そして、それらの軸受け部のうち前記突起を有する側の端縁に位置する軸受け部は、好ましくは突起の開始点よりも支点軸方向に突出していない。これによりイヤリングを装着具で保持する際に、イヤリングの連結部と軸受け部とが干渉し合うことがないので、装着具からのイヤリングの脱落や損傷の可能性が小さくなる。更に、レバーの端縁のうち前記軸受け部に隣接する部分が、前記突起の開始点よりも支点軸方向に凹んでいると、イヤリングが脱落したり損傷したりする可能性がもっと小さくなる。【００１８】
この装着具のもう一つの好ましい全体構成Ｂは、前記一対のレバーがＶ字状をなし、Ｖ字の上端を前記前端縁、下端を前記支点軸とし、前端縁がＶ字の弾性変形によって開閉するもので、公知のピンセットと同様の原理に基づいて作動する。この構成Ｂの装着具を使用するときは、Ｖ字部分を狭める方向の外力を付与して前端縁を閉じ又は半ば閉じた状態で、突起をイヤリングの連結部に挿入した後、前記外力を解除する。これにより、突起外面が連結部の弾性復元力に抗して連結部両端付近に圧接され、イヤリングが突起を介して保持される。装着具を自由にしても装着具によるイヤリングの保持状態は維持される。この構成Ｂにおいては、Ｖ字の開き程度を制限するストッパーを備える。これにより連結部の開きすぎが確実に防がれる。前記ストッパーとしては、前記一対のレバーの対向し合う内面に跨がって取り付けられた鎖又は紐であってよい。【００１９】
この装着具の更にもう一つの好ましい全体構成Ｃは、前記一対のレバーがＶ字状部と、Ｖ字の上端から各々互いに近づく方向に延びて交差し続いてＶ字の下端から遠ざかる方向に延びるＬ字対部とを有し、Ｌ字対部の先端を前記前端縁、Ｖ字の下端を前記支点軸とし、前端縁がＶ字の弾性変形によって開閉するもので、公知の逆作動ピンセットと同様の原理に基づいて作動する。この構成Ｃの装着具を使用するときは、突起をイヤリングの連結部に挿入した状態で、Ｖ字部分を狭める方向の外力を付与して前端縁を開く。これにより、突起が連結部に押され、イヤリングが突起を介して保持される。Ｖ字が閉じた状態で前端縁が全開となり、それ以上に前端縁が開くことはないので、連結部の開きすぎが防がれる。【００２０】
構成Ａ〜Ｃを含むいずれの構成においても前記前端縁が開いているときの突起外面の最大間隔は、通常１０ｍｍ以下、好ましくは８ｍｍ以下である。連結部を構成する弾性線材の全長、弾性率及び外径、並びに突起外面が圧接する箇所にもよるが、前部外面の最大間隔を８ｍｍ以下に設定することにより、耳当て部の間隔が常に連結部の弾性範囲内で拡がることとなり、連結部の塑性変形を確実に防ぐことができる。
【発明の効果】
【００２１】
以上のように、この発明のイヤリング装着具によれば、連結部が開きすぎてピアス状イヤリングを塑性変形させることがないし、イヤリングを容易に耳たぶにつけることもできる。
【図面の簡単な説明】
【００２２】
【図１】（ａ）はピアス状イヤリングを示す正面図、（ｂ）は（ａ）のＢＢ矢視断面図である。
【図２】実施形態１のイヤリング装着具を示す斜視図である。
【図３】前記装着具を示す正面図である。
【図４】前記装着具を示す底面図。
【図５】（ａ）は前記装着具に用いられる第一のレバーの正面図、（ｂ）は同じく底面図、（ｃ）は同じく背面図である。
【図６】（ａ）は前記装着具に用いられる第二のレバーの正面図、（ｂ）は同じく底面図、（ｃ）は同じく背面図である。
【図７】前記装着具を用いてイヤリングの耳当て部の間隔を拡げている状態を示す斜視図である。
【図８】（ａ）は前記装着具を用いてイヤリングを装着しようとする状態を顔の横から眺めたところを示す全体図、（ｂ）は同じく角度を変えて眺めたところを示す図である。
【図９】（ａ）は図８（ａ）のＡ部拡大図、（ｂ）は図８（ｂ）のＢ部拡大図である。
【図１０】（ａ）はイヤリングに耳たぶを挿入した直後の状態を示す図、（ｂ）は同状態を異なる角度から示す図である。
【図１１】（ａ）はイヤリングに耳たぶを挿入し、装着具に加える外力を解除した状態を示す図、（ｂ）は同状態を異なる角度から示す図である。
【図１２】（ａ）は耳たぶに装着されたイヤリングから装着具を抜いた状態を示す図、（ｂ）は同状態を異なる角度から示す図である。
【図１３】前記装着具を用いて耳当て部の間隔が拡げられた状態のイヤリングを示す正面図である。
【図１４】突起の形状の異なる装着具を用いて耳当て部の間隔が拡げられた状態のイヤリングを示す正面図である。
【図１５】突起の形状の異なるもう一つの装着具を用いて耳当て部の間隔が拡げられた状態のイヤリングを示す正面図である。
【図１６】突起の形状の異なる更にもう一つの装着具を用いて耳当て部の間隔が拡げられた状態のイヤリングを示す正面図である。
【図１７】実施形態２のイヤリング装着具を示す斜視図である。
【図１８】実施形態３のイヤリング装着具を示す斜視図である。
【図１９】（ａ）は前記装着具の正面図、（ｂ）は同じく左側面図、（ｃ）は同じく平面図である。
【図２０】実施形態４のイヤリング装着具を示す斜視図である。
【図２１】（ａ）は前記装着具の正面図、（ｂ）は同じく左側面図、（ｃ）は同じく平面図である。
【発明を実施するための形態】
【００２３】
−実施形態１−
この実施形態のイヤリング１は、図１に示すように正面視でＵ字形の連結部２と、連結部の両端に各々固定された円盤状の耳当て部３、３と、飾り４、４とを備える。
連結部２は、直径０．５ｍｍの高強度ピアノ線を両端間隔が耳たぶの厚さ程度、例えば５ｍｍ〜６ｍｍのＵ字形に曲げ加工したものである。Ｕ字の両端と底との距離は、Ｕ字の底が耳たぶを押し上げることなくＵ字の両端が耳たぶの薄肉部分に当たる程度、例えば１０ｍｍ前後であってよい。
【００２４】
耳当て部３、３は、いずれも厚さ０．５ｍｍの真鍮、鉄、ステンレス等の金属製でほぼ円盤状の基板３ａ、３ａと、パッド３ｂ、３ｂとからなる。基板３ａ、３ａは、その中心から半径方向に前記線材の直径にほぼ相当する幅の切り込み（図示省略）を有する。そして、連結部２の一端が基板３ａの切り込みに嵌められ、他端がもう一つの基板３ａの切り込みに嵌められた状態で連結部と基板３ａ、３ａとが溶接されている。
【００２５】
パッド３ｂ、３ｂは、ウレタンゴムからなる円盤状をなし、基板３ａ、３ａの内側の面にそれぞれ接着されている。基板３ａ及びパッド３ｂの直径は通常３〜７ｍｍ、好ましくは４ｍｍ程度で、基板３ａの直径とパッド３ｂのそれとは同じであっても良いし、異なっていても良い。飾り４は、基板３ａの外側の面に取り付けられている。パッド３ｂ、３ｂの間隔は、イヤリング１を着用する者の耳たぶの厚さによるが、通常１．５〜２．５ｍｍである。
【００２６】
イヤリング１を着用するときは、イヤリング１の耳当て部３、３の間隔を後述の装着具５で拡げて耳当て部３、３の間に耳たぶを挿入し、耳当て部３、３を介して連結部２の弾性復元力で耳たぶを挟むことにより、イヤリング１を耳に固定する。種々の体型の着用者に対応できるように、連結部２のサイズやパッド３ｂの厚さの異なるイヤリング１を準備しておいてもよい。
【００２７】
パッド３ｂ、３ｂが耳たぶに対して柔らかに当たるので、耳たぶを挿入する際にイヤリング１が耳たぶを傷つけることはない。また、装着中にイヤリング１に不測の衝撃が加わってもパッド３ｂ、３ｂと耳たぶとの間の摩擦力によりイヤリング１の位置ずれが阻止されるほか、パッド３ｂ、３ｂが衝撃の一部を吸収するので、滅多に怪我をすることない。イヤリング１は、ねじを有しないので、着用中はピアスのように見える。
【００２８】
装着具５は、図２に示すようにステンレス板もしくは防錆処理された金属板からなる第一、第二の一対のレバー６、７と、回転軸８と、図略のねじりバネとを備える。そして、図３〜６に示すようにレバー６、７には回転軸８を支持する軸受け部６ａ、６ｂ、７ａ、７ｂ及び一対の突起９、１０が形成されている。レバー６、７は、軸受け部６ａ、６ｂ、７ａ、７ｂ及び一対の突起９、１０以外は平行な長い二辺とこれら二辺を結ぶ短い半円状の辺とで囲まれ且つ互いに対称な形状をなし、回転軸８を境に各々前部と後部とを有する。
【００２９】
第一のレバー６と第二のレバー７とは、後端縁が閉じる（開く）ときに前端縁が開く（閉じる）ように前部と後部との間で回転軸８を介して連結されている。すなわち、前部と後部とは回転軸を支点、前部を作用点、後部を力点とする梃の原理で互いに相反する方向に開閉する。前記ねじりバネは、レバー６、７の後端縁が開く方向に弾性復元力が作用するように回転軸８の周囲に巻かれている。回転軸８から後端縁までの長さは、回転軸８から前端縁までの長さの１．５倍である。図示の例では、レバー６、７の全長が５０ｍｍ、回転軸８から突起９（１０）の前面までの距離が１０ｍｍ、突起９（１０）の前面からレバー６（７）の前端縁までの距離が１０ｍｍ、レバー６、７の高さすなわち回転軸８方向の長さは１０ｍｍ、肉厚は１．０ｍｍである。
【００３０】
軸受け部６ａ、７ａは、レバー６、７の第一の長辺よりレバー６、７の主面と直交する方向に延びている。ただし、軸受け部６ａは、軸受け部７ａよりも板厚分だけ回転軸８方向に凹んでいる。軸受け部６ｂ、７ｂは、レバー６、７の第二の長辺より前記主面と直交する方向に延びている。ただし、軸受け部７ｂは、軸受け部６ｂよりも板厚分だけ回転軸８方向に突出している。
【００３１】
突起９、１０は、レバー６、７の先端縁と回転軸８との中間に位置するストレート部９ａ、１０ａとストレート部の後方に連なるテーパー部９ｂ、１０ｂとを有し、レバー６、７の第一の長辺より回転軸８と平行に延びている。ストレート部９ａ、１０ａの外側の面はレバー６、７の外側の主面上にあり、テーパー部９ｂ、１０ｂの外側の面はストレート部９ａ、１０ａから遠ざかるにつれて内側に向かっている。従って、突起９、１０は、回転軸８と直交する断面において、テーパー部９ｂ、１０ｂの外側の面が傾斜している以外は対向し合う面が平行な五角形をなしている。ストレート部９ａ、１０ａの外側の面同士の間隔は、レバー６、７の前端縁が開いている状態で７〜８ｍｍである。
【００３２】
装着具５を使用するときは、前端縁を半開き状態にして突起９、１０を連結部２の内側に挿入し、ねじりバネの弾性復元力に抗する外力を加えて後端縁を閉じる。すると図７に示すように前端縁が完全に開くとともに突起９、１０が連結部２に押されて、イヤリング１が装着具５にて保持される。ストレート部９ａ、１０ａの外側の面同士の間隔がパッド３ｂ、３ｂの間隔よりもはるかに大きいので、誤って突起９、１０をパッド３ｂ、３ｂの間に挿入し、連結部２を塑性変形させてしまうという事故が生じることは無い。
【００３３】
突起９、１０は、ストレート部９ａ、１０ａとテーパー部９ｂ、１０ｂとで十分広い幅を有しているので、高齢者など視力の弱い使用者であっても容易に認識して連結部２の内側に挿入することができる。また、後端縁が合わさった状態で、突起９、１０の間隔が最大となることから、耳当て部３、３間が開きすぎて元の間隔に戻らなくなることはない。しかも、テーパー部９ｂ、１０ｂの外側の面がストレート部９ａ、１０ａから遠ざかるにつれて内側に向かっているので、その分連結部２の開き具合が小さくて足りる。この理由については、後で詳述する。
【００３４】
そして、図７の矢印で耳たぶの挿入方向、図８〜１２で手順をそれぞれ示すように、一方の手で装着具５を持ち、他方の手で耳たぶを持って装着具５と耳たぶとの位置関係を確認しながら（図９）、前端縁の間を経て突起９、１０の間に耳たぶを挿入する（図１０）。回転軸８が存在するので、耳たぶが入りすぎることはなく、そのため前端縁が軟骨に当たることもない。その状態で、後端縁に加わる前記外力を緩める。するとねじりバネの弾性復元力により後端縁が開くとともに突起９、１０の間隔が狭まり、連結部２の弾性復元力により耳たぶが耳当て部３、３で挟まれる（図１１）。その後、飾り４、４を耳たぶの両側から軽く指で押さえながら装着具５をゆっくり後方に抜くことにより、イヤリング１が耳たぶに固定される（図１２）。
【００３５】
軸受け部６ａ、７ａは突起９、１０の開始点よりも突出していないかむしろ回転軸８方向に凹んでいるので、イヤリング１を装着具５で保持する際に、連結部２と軸受け部６ａ、７ａとが干渉し合うことはない。従って、装着具５からのイヤリング１の脱落や損傷を防ぐことができる。
【００３６】
装着具５によれば、突起９、１０がレバー６、７の前端縁と回転軸８との間に位置しているので、前端縁が全開の状態でも対向する突起同士の間隔は小さい。このため、前記の通り大きく開いた前端縁の間を経由して耳たぶを容易に耳当て部３、３の間に案内することができる割に、連結部２の弾性範囲を超えて耳当て部３、３の間隔が過剰に広がるのを防ぐことができる。従って、イヤリングが塑性変形して機能不全となることはない。
【００３７】
次に、突起９、１０の断面が前記のように五角形をなしていることが最適である理由を詳述する。突起９、１０は、回転軸８と直交する断面において、テーパー部９ｂ、１０ｂの外側の面が傾斜している以外は対向し合う面が平行な五角形をなしていることから、図１３に示す通り、当該斜面に沿って内側に向かう分だけ連結部２の開き具合が小さくても、耳たぶを入れるのに必要な耳当て部３、３の間隔及び突起９、１０の間隔を確保することができる。また、突起９、１０に必要な強度を確保することもできる。
【００３８】
これに対して、突起９、１０が、図１４に示すような断面視台形の場合、連結部２の開き具合が小さくても、耳たぶを入れるのに必要な耳当て部３、３の間隔及び突起９、１０の間隔を確保することができるものの、矢印で示す鋭利な稜線で使用者が傷つくことのないように取り扱いに過度の神経を使わざるを得ない。また、突起９、１０が、鋭利な稜線部分で欠けを生じやすい。
【００３９】
かといって、突起９、１０の断面が単純な長方形の場合、図１５に示すような肉厚又は図１６に示すような幅広のいずれを選択しても、五角形の場合と同程度のレバーの開き具合では耳たぶを入れるのに必要な耳当て部３、３の間隔及び突起９、１０の間隔を確保することができない。
【００４０】
−実施形態２−
この実施形態では、図１７に示すように、軸受け部６ａ、７ａの両側６ｃ、６ｄ、７ｃ、７ｄが、レバー６、７の主面方向に１．５〜２．５ｍｍ凹んでいる。従って、イヤリング１が軸受け部６ａ、７ａだけでなく、その両側に当たって装着具５から脱落したり損傷したりすることも無い。
【００４１】
−実施形態３−
この実施形態の装着具１５は、図１８及び１９に示すように、Ｖ字状をなす一対のレバー１６、１７と、レバー１６、１７の対向し合う内面に跨がって取り付けられた金属製鎖からなるストッパー２３とを備える。そして、Ｖ字の上端において突起１９、２０がＶ字のほぼ延長方向に突出し、突起１９、２０の近くに導入部２１、２２が形成されている。導入部２１、２２は、突起１９、２０の突出方向とほぼ直交するがやや互いに拡がる方向に延びている。突起１９、２０は、実施形態１と同じくストレート部と、ストレート部に連なるテーパー部とを有する。そして、Ｖ字の下端を支点軸とし、Ｖ字の上端がレバー１６、１７の弾性変形によって開閉するとともに、開きの程度がストッパー２３にて制限されている。従って、装着具１５は、突起１９、２０、導入部２１、２２及びストッパー２３を除けば公知のピンセットと同様の原理に基づいて作動する。
【００４２】
装着具１５を使用するときは、外力を付与してＶ字部分を狭めた状態で、突起１９、２０をイヤリング１の連結部２に挿入した後、前記外力を解除する。これにより、Ｖ字部分の弾性復元力に抗して突起１９、２０が連結部２に押され、イヤリング１が突起１９、２０を介して保持される。装着具１５を自由にしても装着具１５によるイヤリング１の保持状態は維持される。突起１９、２０の最大間隔がストッパー２３の長さで決まっているので、連結部２が過剰に拡がることはない。
【００４３】
次いで、導入部２１、２２の間を経て突起１９、２０間に耳たぶを挿入する。その状態でＶ字部分を狭める方向に外力を付与すると、連結部２の弾性復元力により耳たぶが耳当て部３、３で挟まれる。その後、装着具１５を抜くことにより、イヤリング１が耳たぶに固定される。実施形態１と同じく、連結部２が塑性変形することはないし、操作中、片方の手で装着具１５を持ち、空いた手で耳たぶを持つことができる。
なお、このピンセット近似の装着具１５において、実施形態１と同様にレバー１６、１７の前端縁を導入部とし、突起１９、２０に代えて実施形態１と同様に前端縁と支点軸との間に支点軸と平行に延びる突起を設けても良い。
【００４４】
−実施形態４−
この実施形態の装着具２５は、図２０及び２１に示すように、Ｖ字状部と、Ｖ字の上端から各々互いに近づく方向に延びて交差し続いてＶ字の下端から遠ざかる方向に延びるＬ字対部とを有する一対のレバー２６、２７を備える。そして、Ｌ字の上端において突起２９、３０がＬ字のほぼ延長方向に突出し、突起２９、３０の近くに導入部３１、３２が形成されている。導入部３１、３２は、突起２９、３０の突出方向とほぼ直交するがやや互いに拡がる方向に延びている。突起２９、３０は、実施形態１と同じくストレート部と、ストレート部に連なるテーパー部とを有する。そして、Ｖ字の下端を支点軸とし、Ｌ字対部の先端がＶ字の弾性変形によって開閉する。従って、装着具２５は、突起２９、３０及び導入部３１、３２を除けば公知の逆作動ピンセットと同様の原理に基づいて作動する。
【００４５】
装着具２５を使用するときは、突起２９、３０をイヤリング１の連結部２に挿入した状態で、Ｖ字部分を狭める方向の外力を付与してＬ字対部の先端を開く。これにより、突起２９、３０が連結部２に押され、イヤリング１が突起３１、３２を介して保持される。
【００４６】
次いで、導入部３１、３２の間を経て突起２９、３０間に耳たぶを挿入する。その状態で前記外力を解除すると、連結部２の弾性復元力により耳たぶが耳当て部３、３で挟まれる。その後、装着具２５を抜くことにより、イヤリング１が耳たぶに固定される。実施形態１と同じく、連結部２が塑性変形することはないし、操作中、片方の手で装着具２５を持ち、空いた手で耳たぶを持つことができる。
なお、このピンセット近似の装着具２５において、実施形態１と同様にレバー２６、２７の前端縁を導入部とし、突起２９、３０に代えてＬ字の中間位置に支点軸と平行に延びる突起を設けても良い。
【符号の説明】
【００４７】
１  イヤリング
２  連結部
３  耳当て部
４  飾り
５、１５、２５  装着具
６、７、１６、１７、２６、２７  レバー
８  回転軸
９、１０、１９、２０、２９、３０  突起
【図１】
0006587307.tif 000002
【図２】
0006587307.tif 000003
【図３】
0006587307.tif 000004
【図４】
0006587307.tif 000005
【図５】
0006587307.tif 000006
【図６】
0006587307.tif 000007
【図７】
0006587307.tif 000008
【図８】
0006587307.tif 000009
【図９】
0006587307.tif 000010
【図１０】
0006587307.tif 000011
【図１１】
0006587307.tif 000012
【図１２】
0006587307.tif 000013
【図１３】
0006587307.tif 000014
【図１４】
0006587307.tif 000015
【図１５】
0006587307.tif 000016
【図１６】
0006587307.tif 000017
【図１７】
0006587307.tif 000018
【図１８】
0006587307.tif 000019
【図１９】
0006587307.tif 000020
【図２０】
0006587307.tif 000021
【図２１】
0006587307.tif 000022